(57)【要約】【課題】  ゴルフクラブヘッドを提供することである。【解決手段】  本クラブヘッドは、ヒールとトゥとの間のバックに設けられ、ソールに向って延びる凹部をもつ本体を有する。凹部に整合するような形状のインサートは凹部内に位置決めされる。インサートは、クラブヘッド本体より低い比重をもち、クラブヘッドの質量をクラブヘッドの周辺部に向かって偏らせる。インサートは、クラブヘッドのマッスルを形成できる。クラブヘッドは鍛造され、凹部は機械加工によって形成される。凹部内にインサートを位置決めした後、クラブヘッドとインサートとの結合体は付加的な鍛造及び仕上げ工程を受ける。【選択図】      図４
2006051366.tif 000002
【特許請求の範囲】
【請求項１】
打球面と、トップラインと、ソールと、バックと、ヒールと、トゥとを構成する本体を有し、前記バックが前記ソールに向って延びる凹部を有し、前記本体が第１の比重を有する材料で形成され、
前記凹部内に位置決めされたインサートを有し、前記インサートが前記凹部にぴったり対応するように形作られ、前記インサートが前記第１の比重よりも軽い第２の比重を有する、
ゴルフクラブヘッド。
【請求項２】
前記インサートが、クラブヘッドのマッスルを形成するように、前記バックに沿って前記凹部上に延びる、請求項１に記載のゴルフクラブヘッド。
【請求項３】
前記バックに実質的にキャビティがない、請求項１に記載のゴルフクラブヘッド。
【請求項４】
前記インサートが、前記インサートを前記凹部内に保持するように前記本体と係合するロック溝を備える、請求項１に記載のゴルフクラブヘッド。
【請求項５】
前記インサートが、前記本体に予荷重を加えるリムを備える、請求項４に記載のゴルフクラブヘッド。
【請求項６】
前記インサートが、スエージ加工によって前記凹部内に保持される、請求項４に記載のゴルフクラブヘッド。
【請求項７】
前記第１の比重が少なくとも８である、請求項１に記載のゴルフクラブヘッド。
【請求項８】
前記第２の比重が多くても８である、請求項１に記載のゴルフクラブヘッド。
【請求項９】
前記第１の比重が少なくとも８である、請求項８に記載のゴルフクラブヘッド。
【請求項１０】
前記第２の比重が多くても５である、請求項１に記載のゴルフクラブヘッド。
【請求項１１】
前記第１と第２の比重の差が少なくとも３である、請求項１に記載のゴルフクラブヘッド。
【請求項１２】
前記本体が鋳造された、請求項１に記載のゴルフクラブヘッド。
【請求項１３】
前記インサートが金属である、請求項１に記載のゴルフクラブヘッド。
【請求項１４】
前記凹部が前記インサートによってほぼ満たされている、請求項１に記載のゴルフクラブヘッド。
【請求項１５】
打球面と、トップラインと、ソールと、バックと、ヒールと、トゥと、ホーゼルとを構成する一体の本体を有し、前記本体が、第１の比重をもつ第１の材料と、前記第１の比重よりも大きな第２の比重をもつ第２の材料とを有する、
ゴルフクラブヘッド。
【請求項１６】
前記第１の比重が２．５〜７であり、前記第２の比重が１０〜２０である、請求項１５に記載のゴルフクラブヘッド。
【請求項１７】
前記第１の比重が３．５〜５．５であり、前記第２の比重が１５〜２０である、請求項１６に記載のゴルフクラブヘッド。
【請求項１８】
前記第２の比重が前記第１の比重の少なくとも二倍である、請求項１５に記載のゴルフクラブヘッド。
【請求項１９】
前記第２の比重が前記第１の比重の少なくとも三倍である、請求項１８に記載のゴルフクラブヘッド。
【請求項２０】
前記トゥの少なくとも一部分が前記第２の材料を含む、請求項１５に記載のゴルフクラブヘッド。
【請求項２１】
前記ホーゼルの少なくとも一部分が前記第２の材料を含む、請求項１５に記載のゴルフクラブヘッド。
【請求項２２】
前記トゥの少なくとも一部及び前記ホーゼルの少なくとも一部が前記第２の材料を含む、請求項１５に記載のゴルフクラブヘッド。
【請求項２３】
前記バックが、前記ソールに向って延びる凹部を含み、前記凹部内に位置決めされたインサートを有する、請求項１５に記載のゴルフクラブヘッド。
【請求項２４】
前記インサートが前記第１の比重及び第２の比重よりも小さい第３の比重をもつ、請求項２３に記載のゴルフクラブヘッド。
【請求項２５】
前記第３の比重が多くても８である、請求項２３に記載のゴルフクラブヘッド。
【請求項２６】
前記第３の比重が多くても５である、請求項２５に記載のゴルフクラブヘッド。
【請求項２７】
前記インサートが金属である、請求項２３に記載のゴルフクラブヘッド。
【請求項２８】
打球面と、トップラインと、ソールと、バックと、ヒールと、トゥと、ホーゼルとを備える本体と、
第２の比重をもつ第２の材料を含むホーゼルインサートと、
第３の比重をもつ第３の材料を含むトゥインサートとを有する、
ゴルフクラブヘッド。
【請求項２９】
前記第２、第３の比重が前記第１の比重より大きい、請求項２８に記載のゴルフクラブヘッド。
【請求項３０】
前記第２、第３の比重がほぼ等しい、請求項２９に記載のゴルフクラブヘッド。
【請求項３１】
前記第２の比重が前記第３の比重よりも大きい、請求項２９に記載のゴルフクラブヘッド。
【請求項３２】
前記第３の比重が前記第２の比重よりも大きい、請求項２９に記載のゴルフクラブヘッド。
【請求項３３】
前記本体がチタン又はチタン合金を含み、前記インサートがタングステン又はタングステン合金を含む、請求項２８に記載のゴルフクラブヘッド。
【請求項３４】
重心を有し、
クラブヘッドが、前記重心を通って延びる垂直軸線を中心に測定された、２５０ｋｇ・ｍｍ2よりも大きな慣性モーメントを有する、
請求項２８に記載のゴルフクラブヘッド。
【請求項３５】
前記慣性モーメントが２５０ｋｇｍｍ2〜３００ｋｇｍｍ2である、請求項３４に記載のゴルフクラブヘッド。
【請求項３６】
重心を有し、
クラブヘッドが、前記重心を通って延びる水平軸線を中心に測定された、５５ｋｇ・ｍｍ2よりも大きな慣性モーメントを有する、
請求項２８に記載のゴルフクラブヘッド。
【請求項３７】
前記慣性モーメントが５５ｋｇｍｍ2〜６５ｋｇｍｍ2である、請求項３６に記載のゴルフクラブヘッド。
【請求項３８】
前記ホーゼルインサートが、前記ホーゼルに位置するように形作られたスリーブである、請求項２８に記載のゴルフクラブヘッド。
【請求項３９】
前記スリーブが、圧入、接着、又は、ろう付けによって前記ホーゼルに結合される、請求項３８に記載のゴルフクラブヘッド。
【請求項４０】
前記本体が凹部を有し、
前記トゥインサートが前記凹部内に嵌合するように形作られた、
請求項２８に記載のゴルフクラブヘッド。
【請求項４１】
前記凹部を実質的に満たすように前記トゥインサートが形作られている、請求項４０に記載のゴルフクラブヘッド。
【請求項４２】
所定量の第１の材料を準備することが、少なくとも８の比重をもつ材料を準備することを含み、第２の材料のインサートを準備することが、多くても８の比重をもつ材料のインサートを準備することを含む、請求項４２に記載の方法。
【請求項４３】
前記インサートを準備することが、金属インサートを準備することを含む、請求項４２に記載の方法。
【発明の詳細な説明】
【技術分野】
【０００１】
本発明は、ゴルフクラブに関し、特に、密度が変化する部分を有するアイアンタイプの鍛造ゴルフクラブに関する。
【背景技術】
【０００２】
アイアンタイプのゴルフクラブは、一般に、フロントフェースすなわち打球面と、トップラインと、ソールとを有する。フロントフェースはゴルフボールと接触し、該ボールを打つ。このフロントフェースには、ボールにスピンを与えるのに役立つ多数の刻み線又は溝が設けられる。トップラインは一般的には、ゴルファに特定の外観を与え、ウエイトをもたらすように形成される。ゴルフクラブのソールは、スィング中に地面と接触するので、特にゴルフショットに重要である。
【０００３】
在来のアイアンタイプのゴルフクラブセットでは、各クラブは、一端にクラブヘッドを取り付け、他端にグリップを取り付けたシャフトを有する。クラブヘッドはゴルフボールを打つフェースを有する。フェースと垂直平面との成す角度はロフト角と呼ばれる。
【０００４】
このセットは一般に、２番から９番までのアイアンと、ピッチングウェッジとを有する。ロブウェッジ、ギャップウェッジ、サンドウェッジのようなその他のウェッジも前記セットに任意に含まれることがある。各アイアンは或るシャフトの長さを有し、このシャフト長は、通常、セットを通じて短くなる、というのは、各クラブヘッドのロフト角はロングアイアンからショートアイアンになるにつれて増大するからである。シャフト長は、クラブヘッドのロフト角、慣性モーメント及び重心位置と共に、インパクト時のボールの飛び出し状態に種々の性能特性を与え、ボールの飛距離を決定する。飛距離は、一般に、ロフト角の減少と共に増大する。しかし、ロフト角の減少と共に使用の難しさも増加する。
【０００５】
アイアンタイプゴルフクラブは、一般に、三種類、すなわち、ブレイドと、マッスルバックと、キャビティバックとに分けることができる。ブレイドは、伝統的なクラブであり、ソールからトップラインかけて幾分テーパーしているけれども、ソールからトップラインまで実質的に均一な外観を備えている。
【０００６】
マッスルバックは、実質的に伝統的な外観を有し、ブレイドと似ているが、バックに追加の材料を備える。リブの形態であっても良いこの追加の材料は、クラブヘッドの重心を下げるのに用いることができる。ゴルフクラブの重心が接触時のボールの重心より低いと、ゴルフショットは容易となる。
【０００７】
ブレイド及びマッスルバック構造は、スイートスポット（すなわち、ゴルフボールを打つ際に望ましいゴルフショットをもたらすフェースの面積）が小さいので、これらの構造は使用するのが比較的難しく、従って典型的には熟練したゴルファしか使用しない。しかし、これらのクラブは他の構造のものよりも、より大きな飛距離が得られるという有利を有する。さらに、これらの構造は通常、比較的軟らかい鍛造鋼で作られるので、ゴルファは、所望のように、ボールを操作し、ゴルフショットを形作ることができる。
【０００８】
キャビティバックは、打球面と反対側のクラブのバックに中空又はキャビティを設けることによってクラブの質量の幾分かをクラブの周辺部に移動する最近の構造である。これにより、比較的大きなスィートスポットをもつ鍛造クラブを作ることができる。このことはまた、クラブフェースのサイズを増大でき、その結果スィートスポットは比較的大きくなる。キャビティによって得られる周辺部のウエイト付けはまた、トルク、例えばオフセンタヒット（中心からずれて打った場合）に起因して生じるトルクに対するクラブの抵抗の尺度であるクラブの慣性モーメントを増大する。これらのクラブは、ブレイド及びマッスルバックの場合より打ちやすく、未熟なゴルファや初心者でも使用できる。
【０００９】
他の公知のゴルフクラブは、ウエイトをクラブに追加することにより所望のバランス又は慣性モーメントを達成する。これらクラブは典型的には、ウエイト部材をソールの底面の中心に追加している。
【発明の開示】
【発明が解決しようとする課題】
【００１０】
本発明は、クラブヘッドの慣性モーメントを増大し及び（又は）クラブヘッドのスィートスポットを拡げるように密度の変化する複数の部分を有するゴルフクラブヘッドに関する。本発明は、従来かかる仕方で高められなかった鍛造ブレイド及びマッスルバッククラブに用いることができる。
【課題を解決するための手段】
【００１１】
本発明は、フロント面と、トップラインと、ソールと、バックと、ヒールと、トゥとを構成する本体を有するゴルフクラブヘッドに向けられる。バックはソールに向って延びる凹部を有する。凹部に整合するような形状のインサートは凹部内に位置決めされる。本体は第１の比重をもつ材料で形成され、またインサートは第１の比重より軽い第２の比重をもつ材料で形成される。インサート及び比重の差は、クラブヘッドの質量をクラブヘッドの周辺部に向かって偏らせ、クラブヘッドの慣性モーメントを改善し、スィートスポットを拡大する。
【００１２】
金属で良いインサートは、鍛造されたブレイド、マッスルバックのアイアンタイプゴルフクラブのフィーリングに合致したソリッドなフィーリングをゴルフクラブに提供する。インサートは、クラブヘッドのバックに沿って凹部上に延び、クラブヘッドのマッスルを形成しても良い。バックは、実質的にキャビティがないのが好ましい。従って、本発明は、ユーザーがボールを所望のように扱うことができ、ゴルフショットを所望のような形態にできる能力を保持しながら、慣性モーメントを改善し、スィートスポットサイズを拡大する。
【００１３】
鍛造は、本発明のゴルフクラブヘッドを形成する好ましい方法である。一例として本発明のゴルフクラブヘッドを鍛造する方法は、インゴットの形態のような予定の量の第１の材料を設けることを有する。インゴットは、高温に加熱されそして主型に入れられ、一回以上の鍛造圧搾又は衝撃を受けるようにできる。不要な押退け材料又はフラッシュは結果としてのクラブヘッド前駆体から取り除くことができる。
【００１４】
凹部は前駆体クラブヘッドの一部を取り除くことにより形成される。これは、コンピュータ数値制御フライス盤によるような機械加工によって行われるのが好ましい。これらの形式の機械は、結果としての加工品の機械加工処理及び許容誤差にわたって正確に制御できる。その後、インサートは凹部内に位置決めされ、実質的に凹部を充填し、第２のクラブヘッド前駆体を形成する。この第２のクラブヘッド前駆体はその後、付加的な鍛造及び仕上げ工程を受けて本発明のゴルフクラブヘッドを形成できる。インサートは、ロック溝及び任意にはリブを有するのが好ましい。これらの特徴は、凹部内にインサートを固定保持するために鍛造中に本体材料と圧伸成形される。
【００１５】
ゴルフクラブヘッドは種々の密度の複数の材料で形成してもよい。ゴルフスイング中にクラブヘッドを容易に閉じれるようにしかつ慣性モーメントを増大させるために、トゥの下方部分及び（又は）ホーゼルの上方部分はクラブヘッドの主要部分より大きな密度をもつ。
【００１６】
同じ符号が同じ要素を示している添付図面を参照して本発明を説明する。
【発明を実施するための最良の形態】
【００１７】
動作例以外は、または特に述べない限り、あらゆる数値範囲、量、値および百分率、例えば材料の量、慣性モーメント、重心の位置、ロフト角、および本明細書の以下の部分における他の物は、「約」なる用語が、値、量または範囲に表現上現れない場合においてさえ、「約」なる用語が先行するものとして読むべきである。従って、逆に指定されていない場合には、以下の本明細書および添付した特許請求の範囲に示された数値パラメータは、本発明により得られたと考えられる所定の性質に依存して可変可能性のある、近似値である。少なくとも、および特許請求の範囲に等価な原理の適用範囲を限定する意図なしに、各数値パラメータは、少なくとも、報告された有意な数値の値に照らして、また通常の切り上げ、切捨て技術の適用によって、解釈されるべきである。
【００１８】
本発明の広義の範囲を示す数値範囲およびパラメータが、近似値であるにも拘らず、特定の実施例に示された数値は、できる限り正確であるように報告されている。しかしながら、あらゆる数値は、必然的に、各テスト測定に見られる標準偏差に起因する、ある程度の誤差を、元々含んでいる。更に、可変範囲を備える数値範囲が、ここに示された場合には、表示された数値を備える、これら数値のあらゆる組合せが、使用可能であることを意図している。
【００１９】
図１は本発明のゴルフクラブヘッド１のフロント側を示している。ゴルフクラブヘッド１は本体１０を有し、本体１０は、フロント面１１と、トップライン１２と、ソール１３と、バック１４と、ヒール１５と、トゥ１６と、ホーゼル１７とを構成する。フロント面１１の打球面は溝１８を有するのが好ましく、ソール１３は本体１０と一体でもよく、或いは、ヘッドに接合される、インサートのような、別体でもよい。クラブヘッド１は鍛造アイアンタイプゴルフクラブヘッドであるのが好ましい。
【００２０】
図２はゴルフクラブヘッド１の横断面を示す。図２でわかるように、バック１４は凹部２０を有し、凹部２０は、ヒール１５とトゥ１６との間に配置され、ソール１３に向って延びる。凹部２０は、クラブヘッド１から材料を除去し、クラブヘッド１の周辺部に向けてクラブヘッドの質量の多くを本質的に設け、このことは、クラブヘッドの重心を通って延びる垂直軸線を中心に測定された比較的大きな慣性モーメント（ＭＯＩ）を生成し、クラブヘッドのスィートスポットのサイズを増大し、クラブヘッドの重心を下げる。慣性は、何らかの外力が作用しない限り、本体を静止させたままにするか、或いは一様な運動をさせたままにする特性事項である。ＭＯＩは、或る軸線を中心とする角加速度に対する本体の抵抗の度合い又は値であり、本体における各要素の質量の積と軸線からの要素の距離の二乗との和に等しい。従って、軸線から距離が増大するにつれて、ＭＯＩは増大し、このことはクラブを、オフセンターヒットに対してより寛容にする。クラブヘッドの周辺部に質量を移動し、或いは、配置し直すことにより、スィートスポットが拡大し、クラブの寛容性が高くなる。
【００２１】
図３はゴルフクラブヘッド１用のインサート３０を示す。インサート３０は凹部２０にぴったり対応するように形作られる。すなわち、インサート３０は凹部２０の輪郭に合致し、凹部２０を実質的に満たすように形成され、形作られる。インサート３０を凹部２０内に位置決めしたときに、図４に示すように、インサート３０及び本体１０が実質的に中実の統一体を形成するのが好ましい。インサート３０は、凹部２０の上縁部上で、バック１４に沿って延び、クラブヘッド１のマッスルを形成する。バック１４は実質的にいかなるキャビティもないのが好ましい。かくして、本発明は非キャビティバックアイアンタイプゴルフクラブに、向上させたＭＯＩと、拡大したスィートスポットを提供することができる。
【００２２】
インサート３０は、本体１０の材料の比重より軽い比重をもつ材料で形成される。本体１０の比重とインサート３０の比重との差は少なくとも３であるのが好ましい。本体１０は少なくとも８の比重を有してもよい。金属でも又はプラスチックでもよいインサート３０は多くても８の比重を有してもよく、或いは、多くても５の比重を有するのがより好ましい。従って、インサート３０は、クラブヘッドの質量を周辺部に向って偏らせ、これにより、クラブヘッドのＭＯＩを増大させ、スィートスポットを拡大し、鍛造アイアンタイプゴルフクラブと一致したソリッドな感触をもたらし、ユーザーはボールを意のままに扱い、ゴルフショットを所望のように形作ることができる。
【００２３】
クラブヘッド１は種々の仕方で形成することができる。ゴルフクラブヘッド１を形成する好ましい方法は、所定量の第１の材料を準備することを含む。この第１の材料で種々の製造技術又は工程を行い、第１のゴルフクラブ前駆体を形成する。例えば、所定量の第１の材料はインゴットの形態で提供されても良い。インゴットは、高温に加熱され、主型に配置され、一回又は二回以上の鍛造圧搾又は衝撃を受ける。押退けられた不要な材料、すなわち、フラッシュ(ばり)をクラブヘッド前駆体から取り除く。
【００２４】
凹部２０はクラブヘッド前駆体の一部を取り除くことにより形成される。この除去は、前駆体を機械加工することによって、好ましくは、ＣＮＣフライス盤のようなコンピュータ数値制御（ＣＮＣ）機械を用いて行う。これらの形式の機械は、機械加工処理に対する高度の正確性とコントロール、並びに、加工品の厳密な許容誤差を可能とする。かくして、凹部２０は正確な寸法形状に作られる。
【００２５】
正確な寸法形状に作られ、凹部２０にぴったり対応するように形作られたインサート３０は、次に、凹部２０内に位置決めされる。凹部２０及びインサート３０の両方は厳密な許容誤差に形成されるので、本体・インサート結合体によって形成された第２のゴルフクラブヘッド前駆体は、実質的に中実であり、通常、ブレイド及びマッスルバックゴルフクラブと関連した属性を持つ。第２の前駆体は、その後、加熱処理及び付加的な鍛造衝撃のような付加的な製造工程、並びに、ホーゼル孔及び溝形成、研磨、バフ磨き及び洗浄のようなクラブヘッド仕上げ工程を受け、図４の完成したゴルフクラブヘッドが形成される。
【００２６】
インサート３０はロック溝３２と、任意にリブ３４とを有するのが好ましい。インサート３０を凹部２０内に位置決めし、第２の前駆体を鍛造衝撃処理した後、ロック溝３２に対向した本体１０はロック溝３２にスエージングし、インサート３０を適所に係止し、本体１０とインサート３０とを結合する。同様に、リブ３４は本体１０にスエージングすることになる。リブ３４はまた本体１０に予荷重を与える。
【００２７】
インサート３０と関連して又は独立して、ゴルフクラブヘッド１のゴルフプレー特性を高める別の仕方として、本体１０は変化する密度のものでも良い。例えば、図５に示すように、クラブヘッド１の本体１０は、密度の異なる複数の材料で構成しても良い。本体１０の主要部分４２は、第１の密度をもつ第１の材料で構成するのが好ましい。本体１０の第２の部分４４は、クラブヘッド１のトゥ領域１６、好ましくはトゥ領域の下方部分に、配置される。本体１０の第２の部分４４は、主要部分４２の密度より大きな密度をもつのが好ましい。下方トゥ領域４４により稠密な材料を設けることにより、ゴルフスィング中、クラブヘッド１を閉じ易くなり、これにより所望のゴルフショットを容易にできる。特に、ハンデキャップが中程度から高いゴルファにとって共通するスィングの問題は、インパクト時のクラブヘッドの閉じ損ないである。このスィング欠陥は、通常、右方に詰まったショットとなり、すなわちボールにスライススピン（すなわち右利きのゴルファの場合には時計まわり回転）が加わることになる。
【００２８】
本体１０のホーゼル部分４６は、本体の主要部分４２とは異なる材料で提供することができる。ホーゼル部分、好ましくはホーゼルの上部は、クラブヘッドの重心から比較的離れている。従って、ホーゼル部分４６に、比較的多くの質量又は少量でも比較的稠密な材料を配置することにより、クラブヘッドのＭＯＩは著しく増大し、ゴルフクラブの使い勝手が増す。
【００２９】
本体１０は一体の本体でもよい。すなわち、密度の異なる複数の材料を有する本体１０は、インサートを備えることにより密度を変えることで達成する代わりに、全体として設けてもよい。本体１０は、例えば粉末冶金又は鋳造を含む種々の方法で形成してもよい。
【００３０】
クラブヘッド１に好適な材料は、本体の主要部分４２にはチタン又はチタン合金、トゥ部分４４及び（又は）ホーゼル部分４６にはタングステン又はタングステン合金である。クラブヘッド１、トゥ部分４４及び（又は）ホーゼル部分４６の一つ又は複数の稠密（比較的高密度の）材料は、本体の主要部分４２の比重の二倍以上の比重をもつのが好ましい。より好ましくは、本体の主要部分４２の比重はトゥ部分４４の比重の数倍であり、そして（又は）ホーゼル部分４６の比重は本体の主要部分４２の比重の数倍である。絶対値において、本体の主要部分４２の比重は２．５〜７であるのが好ましく、３．５〜５．５であるのがより好ましく、また、トゥ部分４４及び（又は）ホーゼル部分４６の比重は１０〜２０であるのが好ましく、１５〜２０であるのがより好ましい。
【００３１】
図６は本発明の別のゴルフクラブヘッド２の正面を示す。上述したゴルフクラブヘッド１と同様に、ゴルフクラブヘッド２はフロント面（図示していない）と、トップライン１２と、ソール１３と、バック１４と、ヒール１５と、トゥ１６と、ホーゼル１７とを構成している本体１０を有する。本体１０はチタン又はチタン合金を有する。ゴルフクラブヘッド２はさらに、ホーゼルインサート５０及びトゥインサート６０を有する。ホーゼルインサート５０は高いホーゼルインサートであり、トゥインサート６０は低いトゥインサートであるのが、好ましい。
【００３２】
ホーゼルインサート５０はホーゼル１７上に位置するように形成されたスリーブである。ホーゼルインサート５０は圧嵌め、接合、又はろう付けによってホーゼルに接合される。ホーゼルインサート５０はタングステン又タングステン合金を含んでもよい。図６Ａはホーゼルインサート５０を示す。
【００３３】
本体１０はクラブヘッド２のトゥ領域１６に又はその近くに凹部１９を備える。トゥインサート６０は凹部１９内に位置決めされる。トゥインサート６０は凹部１９を実質的に満たすような形作られるのが好ましい。トゥインサート６０はタングステン又はタングステン合金を含むことができる。図６Ｂはトゥインサート６０を示す。
【００３４】
本体１０は第１の比重をもつ第１の材料を有する。ホーゼルインサート５０は第２の比重をもつ第２の材料を有する。トゥインサート６０は第３の比重をもつ第３の材料を有する。第２、第３の比重は第１の比重より大きい。第２、第３の比重は実質的に等しいか、或いは異なってもよい。第２、第３の比重を実質的に等しくすることにより、クラブヘッド２に対して等しいバランスが得られる。第２の比重を第３の比重より大きくすることにより、クラブヘッド２のヒール１５の質量が多くなり、クラブヘッドの重心をヒール１５に向って偏らせる。これは、ボールをスライスさせる傾向があるゴルファに望ましい。というのは、クラブヘッドの重心をヒール１５に向かって偏らせることにより、クラブを容易に閉じさせ、インパクト時にクラブヘッドが開いたままになる可能性が低減するからである。代わりに、第３の比重を第２の比重より大きくすることにより、クラブヘッド２のトゥ１６の質量が多くなり、クラブヘッドの重心をトゥ１６側に偏らせる。これは、ボールをフックさせる傾向があるゴルファに望ましい。というのは、クラブヘッドの重心をトゥ１６側に偏らせることにより、クラブは閉じ難くなり、インパクト時にクラブヘッドがあまりにすぐに又はあまりに大きく閉じる可能性が低減するからである。
【００３５】
クラブヘッドのＭＯＩが大きければ大きいほど、クラブヘッドが有する、ショット時の回転に対するクラブヘッドの抵抗が大きくなる。言い換えれば、クラブヘッドのＭＯＩが大きければ大きいほど、ゴルフクラブの寛容性及び扱い易さは大きくなる。大きなＭＯＩでは、ゴルフクラブは、クラブヘッドの重心に合わせて正確に打ててないショットでもボールを真っ直ぐに飛ばせる。大きなＭＯＩを有することに関する重要な軸線には、クラブヘッドの重心を通って延びる垂直軸線と、水平軸線とがを含まれる。インサート５０、６０をクラブヘッドの重心からさらに離すように移動させることによりＭＯＩは増大する。高いホーゼルインサート５０及び低いトゥインサート６０を設けると、垂直軸線及び水平軸線の両方の軸線を中心とするＭＯＩは増大する。
【００３６】
クラブヘッド２は、重心を通って延びる垂直軸線を中心として測ったＭＯＩが２５０ｋｇｍｍ2以上であるのが好ましい。この垂直軸線ＭＯＩは２５０ｋｇｍｍ2〜３００ｋｇｍｍ2であるのが好ましい。クラブヘッド２は、重心を通って延びる水平軸線を中心として測ったＭＯＩが５５ｋｇｍｍ2以上であるのが好ましい。この水平軸線ＭＯＩは５５ｋｇｍｍ2〜６５ｋｇｍｍ2であるのが好ましい。
【００３７】
以上、本発明の好ましい実施形態について説明してきたが、これらの実施形態は例示目的でのみ提供されたものであり、限定する目的で提供されたものでないことを理解すべきである。形態及び細部における種々の変更を、本発明の精神及び範囲から逸脱することなしに、できることは当業者にとって明らかになろう。かくして、本発明は上述した例示の実施形態によって限定されるべきでなく、特許請求の範囲及びその均等物に従ってのみ構成されるべきである。
【図面の簡単な説明】
【００３８】
【図１】本発明のゴルフクラブヘッドのフロント側を示す。
【図２】図１のゴルフクラブヘッドの横断面図示す。
【図３】図１のゴルフクラブヘッドに使用するインサートの横断面図を示す。
【図４】図３のインサートを取り付けた図２の横断面図を示す。
【図５】本発明の別のゴルフクラブヘッドの正面図を示す。
【図６】本発明の別のゴルフクラブヘッドの正面図を示す。
【図６Ａ】図６のゴルフクラブヘッドのホーゼルインサートを示す。
【図６Ｂ】図６のゴルフクラブヘッドのトゥインサートを示す。
【図１】
2006051366.tif 000003
【図２】
2006051366.tif 000004
【図３】
2006051366.tif 000005
【図４】
2006051366.tif 000006
【図５】
2006051366.tif 000007
【図６】
2006051366.tif 000008
【図６Ａ】
2006051366.tif 000009
【図６Ｂ】
2006051366.tif 000010